(57)【要約】      （修正有）【課題】構成部品を少なくして軽量化を図り、製造工程の簡略化を計ることでコストダウンが図ると共に、使いやすい経済的なランドセルを提供する。【解決手段】ランドセル本体２は、教科書やノートを収納する主収容室３と、教材や筆箱などを収納する前段ポケット１０からなる。主収容室３は、底面部と両側マチ部４ｂを一体に形成した大マチ板４の前側に、扁平な板状の前板５を取付け、背面側に学童の背中に位置する背板６を取付けて上方を開口した箱型に形成した。前段ポケット１０は、前板５の前方で底面部と両側マチ部１１ｂを一体に形成したマチ板片１１と、マチ板片の前側で正面に表示窓部１３を有した前板片１２と、前板片の上方に位置する上前板片１５と、前記マチ板片の上方で水平方向に位置する上マチ片１６と、上マチ片と上前板片１５との間に形成した開口部１７にスライドファスナー１８を取付けて開閉可能に形成した。【選択図】図１
0003185880.tif 000002
【実用新案登録請求の範囲】
【請求項１】
ランドセル本体（２）は、教科書やノートを収納する主収容室（３）と、教材や筆箱などを収納する前段ポケット（１０）からなることを特徴とするランドセル。
【請求項２】
前記主収容室（３）は、底面部（４ａ）と両側マチ部（４ｂ）、（４ｂ）を一体に形成した大マチ板（４）の前側に、扁平な板状の前板（５）を取付け、背面側に学童の背中に位置する背板（６）を取付けて上方を開口した箱型に形成したことを特徴とする請求項１記載のランドセル。
【請求項３】
前記前段ポケット（１０）は、前板（５）の前方で底面部（１１ａ）と両側マチ部（１１ｂ）、（１１ｂ）を一体に形成したマチ板片（１１）と、該マチ板片の前側で正面に表示窓部（１３）を有した前板片（１２）と、該前板片の上方に位置する上前板片（１５）と、前記マチ板片（１１）の上方で水平方向に位置する上マチ片（１６）と、該上マチ片と上前板片（１５）との間に形成した開口部（１７）にスライドファスナー（１８）を取付けて開閉可能に形成したことを特徴とする請求項１記載のランドセル。
【請求項４】
前記前段ポケット（１０）の前板片（１２）に設けた表示窓部（１３）は、裏側に透明または半透明な合成樹脂板に形成した表示板（２２）を接着または縫着し、該表示窓部より大きく形成した背面板（２３）の上方を除く三辺を前記表示窓部（１３）の裏面周縁に縫着してポケット部（２１）を形成し、該ポケット部に学校名、学年、名前または住所などを記入する記名欄（２５）を有する名札（２４）を挿入可能に形成してなることを特徴とする請求項１または３記載のランドセル。
【請求項５】
前記前板片（１２）に設けた表示窓部（１３）は、方形、矩形、または、人気のアニメキャラクター形状、ハート形、星形などの任意形状に打ち抜いてなることを特徴とする請求項１または４記載のランドセル。
【考案の詳細な説明】
【技術分野】
【０００１】
本考案は、学童用ランドセルの改良に関する。
【背景技術】
【０００２】
従来、学童が背負うランドセルは、教科書やノートなどの大きなものを収容する主収容室と、計算用具などの各種教材を収容する副収容室と、給食費や教材費などのお金や大切なものを収容する開口部にジッパーを取付けて開閉可能に形成した前段ポケットからなるランドセル本体と、前記ランドセル本体を覆う蓋板と、前記ランドセル本体を背負う背負いベルトにより構成されているのが一般的である（例えば、特許文献１参照）。
【先行技術文献】
【特許文献】
【０００３】
【特許文献１】実用新案登録第３１５６０７８号公報
【０００４】
一方、ランドセルは、主収容室に教科書やノートおよび学習教材、筆箱などを収容し、副収容部はマチ幅が狭いため教材や筆箱などを入れるのに窮屈で使いづらい。さらに前段ポケットは、大きさが前記副収容部の半分から三分の二程度の大きさで、給食費の袋や小物を入れるのには高さとマチ幅が狭く収納部として有効活用がされていないのが現実である。
【考案の概要】
【考案が解決しようとする課題】
【０００５】
そこで、本考案は、ランドセル本体を構成する中途半端な大きさの副収容部と前段ポケットを無くして主収容室の大きさに近い一つの前段ポケットを形成することにより、ランドセルの構成部品を少なくして軽量化を図り、且つ、製造工程の簡略化を計ることによりコストダウンが図ると共に、使いやすい経済的なランドセルを提供することを目的とするものである。
【課題を解決するための手段】
【０００６】
上記課題を達成するため、ランドセル本体２は、教科書やノートを収納する主収容室３と、教材や筆箱などを収納する前段ポケット１０からなることを特徴とする。また、前記主収容室３は、底面部４ａと両側マチ部４ｂ、４ｂを一体に形成した大マチ板４の前側に、扁平な板状の前板５を取付け、背面側に学童の背中に位置する背板６を取付けて上方を開口した箱型に形成したことを特徴とする。さらに、前記前段ポケット１０は、前板５の前方で底面部１１ａと両側マチ部１１ｂ、１１ｂを一体に形成したマチ板片１１と、該マチ板片の前側で正面に表示窓部１３を有した前板片１２と、該前板片の上方に位置する上前板片１５と、前記マチ板片の上方で水平方向に位置する上マチ片１６と、該上マチ片と上前板片１５との間に形成した開口部１７にスライドファスナー１８を取付けて開閉可能に形成したことを特徴とする。さらにはまた、前記前段ポケット１０の前板片１２に設けた表示窓部１３は、裏側に透明または半透明な合成樹脂板に形成した表示板２２を接着または縫着し、該表示窓部より大きく形成した背面板２３の上方を除く三辺を前記表示窓部１３の裏面周縁に縫着してポケット部２１を形成し、該ポケット部に学校名、学年、名前または住所などを記入する記名欄２５を有する名札２４を挿入可能に形成してなることを特徴とする。また、前記前板片１２に設けた表示窓部１３は、方形、矩形、または、人気のアニメキャラクター形状、ハート形、星形などの任意形状に打ち抜いてなることを特徴とする。
【０００７】
したがって、ランドセル本体２を主収容室３と前段ポケット１０で構成したことにより、ランドセル１を構成する部品数を少なくすることができ、ランドセルの軽量化を図ることができる。また、組立作業工程を少なくして効率化を図ることによりコストダウンを図ることができる。さらに、ランドセル１に収納する教科書やノートを主収容室３、それ以外の教材や筆箱を前段ポケット１０に分けて収納することにより、教材や筆箱が重い教科書などに押されないので、教材が壊れたり紛失するのを防止することができ、移動時には、前段ポケット１０の開口部１７が閉まっているため収容物Ｘが落下したり、移動が少ないので大きな衝撃が伝わりにくく、筆箱内の鉛筆の芯が折れるのを防止することができる。
【図面の簡単な説明】
【０００８】
【図１】本考案にかかるランドセルの斜視図である。
【図２】ランドセル本体の前段ポケットに筆箱を収納する状態を示す斜視図である。
【図３】本考案にかかるランドセルを一部破断した断面図である。
【図４】前段ポケットの分解斜視図である。
【考案を実施するための形態】
【０００９】
本考案の実施の形態を図面に基づいて説明すると、図１は本考案にかかるランドセルの斜視図、図２はランドセル本体の前段ポケットに筆箱を収納する状態を示す斜視図、図３は本考案にかかるランドセルを一部破断した断面図、図４は前段ポケットの分解斜視図である。ランドセル１は、人工皮革・合成皮革・天然皮革などによりランドセル本体２を構成し、該ランドセル本体に蓋板７と、ランドセルを背負う背負ベルト８を取付けて構成されている。
【００１０】
前記ランドセル本体２を構成する主収容室３と前段ポケット１０の側面に、該主収容室と前段ポケットが広がるのを防止するための前締ベルト２７を取付け、この前締ベルト２７の一端を大マチ部４ｂになす環２８を取付けて固定し、他端を前段ポケット１０の正面側に環回して先端を前板片１２に固着してある。
【００１１】
図１、２、３に示すごとく、主収容室３は、扁平な底面部４ａと、該底面部の両側を直角方向に折り曲げて形成した大マチ部４ｂ、４ｂを一体に形成した大マチ板４と、該大マチ板の正面側に取付ける前板５と、背中側に取付ける背板６を組み合わせて上面を開口した箱型に形成し、教科書やノートまたはＡ４ファイルなどを収納しやすくしてある。
【００１２】
前記大マチ板４の大マチ部４ｂ、４ｂは、人工皮革・合成皮革・天然皮革などからなる表皮の内側に補強用の芯板（図示せず）を取付けて補強してある。この芯板は、軽量で強度性を有する合成樹脂板または、不織布に合成樹脂材を含浸させて硬化させた板材、さらには、ボール紙に合成樹脂材を含浸させて硬化させた板材、好ましくは、安価で軽量であることからボール紙に合成樹脂材を含浸させて硬化させた公知の板材により形成してある。
【００１３】
底面部４ａの内底面には、外側底面に取付けたベルト連結金具（図示せず）を保持する合成樹脂材などで形成した内底板を敷いて補強し、開口部周縁には、型崩れを防止する硬質合成樹脂材により形成した補強芯材（図示せず）を取付けて主収容室３全体の強度を高めると共に、主収容室３の変形と傷付きを防止している。
【００１４】
前記前段ポケット１０は、図４に示すごとく、扁平な底面部１１ａの両側を立ち上がらせたマチ部１１ｂ、１１ｂを一体に形成したマチ板片１１と、該マチ板片の前側に位置し、正面に表示窓部１３を有した前板片１２と、該前板片の上方に位置する短尺な上下幅を有する上前板片１５と、前記マチ板片１１の上方で水平方向に位置する上マチ片１６とをそれぞれ組み合わせて形成してある。
【００１５】
前記マチ板片１１は、マチ幅を前記主収容室３の大マチ部４ｂのマチ幅より狭く、好ましくは約半分幅に形成し、高さを主収容室３の前板５の高さよりやや低く、このましくは四分の三に形成し、前板片１２は、前幅を前記主収容室３とほぼ同じ幅に形成し、高さをマチ板片１１のマチ部１１ｂ、１１ｂと同じ高さに形成し、中央に方形または矩形などの任意形状に形成した表示窓部１３を設けてある。
【００１６】
前段ポケット１０の開口部１７は、前記上前板片１５と、該上前板片１５の上端と直角方向に位置し、両端を前記マチ板片１１のマチ部１１ｂ、１１ｂの上端と連結した上マチ板片１６との間に形成してある。
【００１７】
前記開口部１７は、上マチ板片１６の一辺と、上前板片１５の上端との間にスライドファスナー１８を取付け、長さ方向の両端をマチ板片１１のマチ部１１ｂ、１１ｂ上端に取付けて開閉可能に形成してある。したがって、開口部１７を広げたとき上前板片１５は、立上り辺がマチ板片１１のマチ部１１ｂ、１１ｂまで開口してあるため、外側に大きく折り曲げることができ、学習教材や筆箱および小物などの収容物Ｘ（以下、収容物という）の出し入れが容易である。
【００１８】
開口部１７にスライドファスナー１８を取付けて開閉可能に形成したことにより、前段ポケット１０に収納した収容物Ｘが落下したり、紛失したりするのを防止でき、且つ、開口部１７を閉めることにより、筆箱などの収容物Ｘが移動するのを防止することができる。
【００１９】
前記前板片１２に設けた表示窓部１３は、方形、矩形などの任意形状に形成し、または、人気のアニメキャラクター形状、ハート型、星型などの形状に打ち抜いて形成してもよい。この表示窓部１３の裏面に取付けたポケット部２１は、透明または半透明な合成樹脂板に形成した表示板２２を、前記前板片１２の表示窓部１３の裏側に接着または縫着し、該表示窓部より大きく形成した背面板２３の上方を除く三辺を前記表示窓部１３の裏面周縁に縫着して形成してある。
【００２０】
前記ポケット部２１に挿入する名札２４は、表面に学校名、学年、名前または住所などを記入する記名欄２５を設けてなり、該名札を前段ポケット１０の開口部からポケット部２１に挿入可能に形成してある。
【００２１】
ランドセル本体２の組立ては、第１工程としてポケット部２１を取付けた前板片１２の上方に上前板片１５を取付け、第２工程は、前板片１２の両側辺と底面辺にマチ板片１１前側一辺を取付け、第３工程は、上前板片１５と上マチ板片１６とマチ板片１１との間に形成した開口部１７に、スライドファスナー１８を取付け、第４工程は、前記工程で組み合わせたマチ板片１１と上マチ板片１６を主収容室３の前板５に取付けて前段ポケット１０を形成する。
【００２２】
次いで、主収容室３は、前段ポケット１０を取付けた前板５に大マチ板４の底辺と両側辺を折り曲げて取付け、大マチ板４の背面側に背板６を取付けて形成する。したがって、従来のランドセル本体を作る工程に比べ、部品数を少なくしたことによりランドセルの製造工程を省略して能率化が図れると共に、軽量化とコストダウンを図ることができる。
【００２３】
以下、本考案の実施の形態の作用について説明すると、ランドセル本体２を、主収容室３と前段ポケット１０の二つに集約し、前段ポケット１０をマチ板片１１と、正面に表示窓部１３を有した前板片１２と、上前板片１５と、前記マチ板片１１の上方で水平方向に位置する上マチ片１６との少数の部品で構成し、主収容室３は、大マチ板４と、該大マチ板の正面側に取付ける前板５と、背中側に取付ける背板６を組み合わせて形成してある。
【００２４】
したがって、ランドセル本体２の構成部品を少なくすることにより、ランドセルの軽量化とコストダウンが図れるので経済的であると同時に、製造工程を少なくしたことにより作業の能率化を図ることができる。
【００２５】
さらに、従来十分に機能しなかった副収容室や前段ポケットを、一つにまとめて形成したことにより内部を広くしてより多く収容物Ｘを収納可能にすることができる。従来の副収容部に当たる開口部１７にスライドファスナー１８を取付けたことにより、収容した教材が落下して壊れたり紛失するのを防止することができる。また、教材や筆箱を前段ポケット１０に分けて収納することにより、教材や筆箱が重い教科書などに押されないので教材が壊れるのを防止できる。さらに、移動時には、前段ポケット１０の開口部１７が閉まっているため移動が少なく衝撃が伝わりにくいので、筆箱内の鉛筆の芯が折れたりするのを防止することができる。
【符号の説明】
【００２６】
１      ランドセル
２      ランドセル本体
３      主収容室
１０    前段ポケット
１１    マチ板片
１２    前板片
１５    上前板片
１６    上マチ板片
２１    ポケット部
２２    表示板
２３    背面板
２４    名札
２５    記名欄
Ｘ      収容物
【図１】
0003185880.tif 000003
【図２】
0003185880.tif 000004
【図３】
0003185880.tif 000005
【図４】
0003185880.tif 000006